(57)【要約】【課題】本発明は、商品包装容器を積み重ねて展示する際に、一番上の商品包装容器を一方の方向に回転させるだけで、一番下の商品包装容器まで、その表示面を夫々均等にずらすことができるようにすることを課題とする。【解決手段】内部に商品の収納空間が形成される商品包装容器が、対向する平面で形成された天板および底板と、前記天板と底板の間において複数の平面から構成される側板と、を有し、前記天板および前記底板は、夫々三角形以上の多角形からなり、前記夫々の側板には底面位置よりも下方に延在する突出部が形成され、前記商品包装容器を複数段積み重ねた状態で、上側に配置された商品包装容器を水平面に対して左右何れか一方の方向に回転させた際に、上側の商品包装容器に対して直下の商品包装容器の向きが所定の角度移動した時に前記側板に形成された突出部が、同じタイミングで前記直下の商品包装容器の側板の上端と当接するように構成する。【選択図】図１
2020203720.tif 000002
【特許請求の範囲】
【請求項１】
内部に商品の収納空間が形成される商品包装容器が、
対向する平面で形成された天板および底板と、
前記天板と底板の間において複数の平面から構成される側板と、を有し、
前記天板および前記底板は、夫々三角形以上の多角形からなり、
前記側板には、底面位置よりも下方に延在する突出部が形成され、
前記商品包装容器を複数段積み重ねた状態で、上側に配置された商品包装容器を水平面に対して左右何れか一方の方向に回転させた際に、上側の商品包装容器に対して直下の商品包装容器の向きが所定の角度移動した時に前記側板に対向する面に少なくとも一対（２箇所）以上設置された突出部が、同じタイミングで前記直下の商品包装容器の側板の上端と当接するように構成されることを特徴とする商品包装容器。
【請求項２】
前記商品包装容器を複数段積み重ねた状態で、上側に配置された商品包装容器を水平面に対して左右何れか他方の方向に回転させた際に、上側の商品包装容器に対して直下の商品包装容器の向きが同一の位置に移動した時に前記側板に形成された突出部が、同じタイミングで前記直下の商品包装容器の側板の上端と当接するように構成されることを特徴とする請求項１記載の商品包装容器。
【請求項３】
前記突出部は、前記側面に夫々設置された、請求項１または請求項２記載の商品包装容器。
【発明の詳細な説明】
【技術分野】
【０００１】
本発明は店舗に陳列する際に、積み重ね可能な商品包装容器に関する。
【背景技術】
【０００２】
特許文献１では、図１３、図１４示す様に、八角形又は六角形の底板４０と、前記底板４０と同形の天板４１と、前記底板４０の４つの斜辺と前記底板４０の４つの斜辺と対応する前記天板４１の４つの斜辺とをそれぞれ接続する４つの隅板４２とを有する包装箱５０において、前記４つの隅板４２は、それぞれ、上端部から前記底板４０を超えて突き出す凸部４３を有するとともに、下端部に設けられ、前記凸部４３と係り合う形状の凹部４４を有する包装箱５０が開示されて、包装箱５０の上部に４つの凸部４３を互いに角度を有するように設けるとともに、包装箱５０の下部にその凸部４３がはまる凹部４４を設けることで、あらゆる方向の揺れに対して、横ずれや荷崩れを防止可能な構成が開示されている。
【０００３】
しかしながら、特許文献１では、長側板４５と短側板４６が全て同じ形状であったとしても、包装箱の向きは９０度単位でしかずらす事ができず商品陳列の自由度が低い上、その作業を行うためには各包装箱を夫々持ち上げてから積み直す必要があるため作業性が悪かった。
【先行技術文献】
【特許文献】
【０００４】
【特許文献１】実用新案登録第３１６２９９９号公報
【発明の概要】
【発明が解決しようとする課題】
【０００５】
本発明は、従来技術の欠点を解消し、商品包装容器を積み重ねて展示する際に、一番上の商品包装容器を一方の方向に回転させるだけで、一番下の商品包装容器まで、その表示面を夫々均等にずらすことができるようにすることを課題とする。
【課題を解決するための手段】
【０００６】
上述の課題を解決するため、この発明は、内部に商品の収納空間が形成される商品包装容器が、対向する平面で形成された天板および底板と、前記天板と底板の間において複数の平面から構成される側板と、を有し、前記天板および前記底板は、夫々三角形以上の多角形からなり、前記夫々の側板には底面位置よりも下方に延在する突出部が形成され、前記商品包装容器を複数段積み重ねた状態で、上側に配置された商品包装容器を水平面に対して左右何れか一方の方向に回転させた際に、上側の商品包装容器に対して直下の商品包装容器の向きが所定の角度移動した時に前記側板に対向する面に少なくとも一対（２箇所）以上設置された突出部が、同じタイミングで前記直下の商品包装容器の側板の上端と当接するように構成される。
【０００７】
更に、前記商品包装容器を複数段積み重ねた状態で、上側に配置された商品包装容器を水平面に対して左右何れか他方の方向に回転させた際に、上側の商品包装容器に対して直下の商品包装容器の向きが同一の位置に移動した時に前記側板に対向する面に少なくとも一対（２箇所）以上設置された突出部が、同じタイミングで前記直下の商品包装容器の側板の上端と当接するように構成されると良い。
【発明の効果】
【０００８】
この発明は前記のように構成されているため、商品包装容器を積み重ねて展示する際に、一番上の商品包装容器を一方の方向に回転させるだけで、一番下の商品包装容器まで、その表示面を夫々所定の位置まで均等にずらすことができ、更に夫々の商品包装容器をずらした状態で、積み重ねた商品包装容器の横ずれや荷崩れを防止することができる。
【０００９】
更に、夫々の商品包装容器の向きがずれた状態で積み重ねられたとしても、一番上の商品包装容器を他方の方向に回転させるだけで、一番下の商品包装容器まで、その表示面を夫々実質的に同一の方向に向けることができ、更に夫々の商品包装容器を同一の方向に向けた状態で、積み重ねた商品包装容器の横ずれや荷崩れを防止することができる。
【図面の簡単な説明】
【００１０】
【図１】本発明の第１実施例の商品包装容器単体を示す斜視図である。
【図２】本発明の第１実施例の商品包装容器単体を示す展開図である。
【図３】本発明の第１実施例の使用状態を示す図である。
【図４】本発明の第１実施例の使用状態を示す図である。
【図５】本発明の第１実施例の突出部位置の説明図である。
【図６】本発明の第１実施例の突出部位置の説明図である。
【図７】本発明の第２実施例の商品包装容器単体を示す斜視図である。
【図８】本発明の第２実施例の突出部位置の説明図である。
【図９】本発明の第２実施例の突出部位置の説明図である。
【図１０】本発明の第３実施例の商品包装容器単体を示す斜視図である。
【図１１】本発明の第３実施例の突出部位置の説明図である。
【図１２】本発明の第３実施例の突出部位置の説明図である。
【図１３】従来技術を示す包装箱の斜視図である。
【図１４】従来技術を示す包装箱の使用状態を示す術を示す図である。
【発明を実施するための形態】
【実施例１】
【００１１】
以下、図面を参照して本発明の第１実施例を説明する。
【００１２】
本発明の第１実施例における商品包装容器１０は、図１から図４に示すように、内部に商品の収納空間が形成される商品包装容器１０が、対向する天板２０および底板２１が正方形の平面で形成され、前記天板２０と底板２１の間において、正面２２、背面２３、右側面２４、左側面２５の４つの位置の平面から構成される側板と、を有する。
【００１３】
そして、前記夫々の位置の側板には前記底板２１よりも下方に延在する突出部３０が形成され、前記商品包装容器１０を複数段積み重ねた状態（図３）で、上側に配置された商品包装容器１０を水平面に対して左右何れか一方の方向に回転させた際に、上側の商品包装容器１０に対して直下の商品包装容器１０の向きが所定の角度移動した時に前記側板に夫々形成された突出部３０が、同じタイミングで前記直下の商品包装容器１０の側板の上端と当接するように構成される。尚、本実施例では、前記突出部３０が４箇所形成されているが、対向する面において、少なくとも一対（２箇所）の突出部３０があれば、直下の商品包装容器１０を回転させることができる。また、商品包装容器１０の自立時の安定性を得る為には３箇所以上に突出部３０を設けることが望ましい。
【００１４】
尚、上側の商品包装容器１０を所定の角度まで回転させた時に各突出部３０が直下の商品包装容器１０に当接して直下の商品包装容器１０を回転させるための寸法設定は、図５に示すように、回転角θ、底板２１の中心線から周囲の辺までの距離Ａ、周囲の辺の中心線から突出部３０の突出開始位置までの距離をＬとした場合、Ｌ＝Ａｔａｎ（θ／２）で計算可能である。前記式では突出部３０の厚みが０とみなした場合の計算式であるが、突起部の基部と底面間に開口部を形成した場合は、付け根に、実際の回転によって上側の商品包装容器１０の突出部３０が直下の商品包装容器１０に当接した際には、前記突起部３０に撓みが生じ易くなるため、商品包装容器１０の厚みが０．５ｍｍ程度のプラスチックシートや厚紙の場合は、上記計算式で計算して差し支えない。この式によって各辺の中央位置から突出部３０の突出開始位置までの距離Ｌを計算すると、例えば底板２１の中心点から周囲の辺までの距離Ａが２５ｍｍ、回転角θが３０°の場合、周囲の辺の中央位置から突出部３０の突出開始位置までの距離Ｌは約６．７ｍｍとなり、Ａが２５ｍｍ、θが４５°の場合のＬ寸法は約１０．４ｍｍとなる。
【００１５】
尚、商品包装容器１０の厚みが０．５ｍｍを超えてきた場合や、プラスチック成形品、金属缶など合成が高い素材で形成される場合は、計算式に厚み分の補正を加える必要があり、図６に示すように、突出部３０の厚みＴ、突出部３０の厚みを考慮しない場合の位置から、突出部３０の厚みを考慮した時の回転後に突出部３０が当接する位置までの追加距離をＳとした場合、Ｓ＝Ｔ／ｔａｎθで計算可能である。この式によって追加距離Ｓを計算すると、突出部の厚みＴが１ｍｍ、回転角θが３０°の場合、追加距離Ｓは１．７ｍｍとなる。
【００１６】
従って、突出部３０の厚みを加味した、寸法設定を計算する場合、回転角θ、底板の中心線から周囲の辺までの距離Ａ、周囲の辺の中心線位置から突出部３０の突出開始位置までの距離Ｌ＋Ｓ＝ＬＳとした場合、ＬＳ＝Ａｔａｎ（θ／２）＋Ｔ／ｔａｎθで計算可能である。この式によって突出部３０の厚みを加味した、各辺の中心線位置から突出部の突出開始位置までの距離Ｌを計算すると、例えば底板の中心線から周囲の辺までの距離Ａが２５ｍｍ、突出部の厚みＴが１ｍｍ、回転角θが３０°の場合のＬＳ寸法は約８．４ｍｍとなる。
【００１７】
尚、前記突出部３０の突出開始位置からの距離や底板２１から下方に突出する距離は、商品重量や、商品包装容器の強度に基づいて適切な範囲を選択することができるが、一般的には、突出部３０の突出開始位置からの距離は３ｍｍ以上、底板２１から下方に突出する距離は１ｍｍ〜１０ｍｍの範囲で形成することが望ましい。
【実施例２】
【００１８】
以下、図面を参照して本発明の第２実施例を説明する。
【００１９】
本発明の第２実施例における商品包装容器１０Ａは、図７に示すように、内部に商品の収納空間が形成される商品包装容器１０Ａが、対向する天板２０Ａおよび底板２１Ａが長方形の平面で形成され、前記天板２０Ａと底板２１Ａの間において、正面２２Ａ、背面２３Ａ、右側面２４Ａ、左側面２５Ａの４つの位置の平面から構成される側板と、を有する。
【００２０】
そして、前記夫々の位置の側板には前記底面２１Ａよりも下方に延在する突出部３０Ａが形成され、前記商品包装容器１０Ａを複数段積み重ねた状態で、上側に配置された商品包装容器１０Ａを水平面に対して左右何れか一方の方向に回転させた際に、上側の商品包装容器１０Ａに対して直下の商品包装容器１０Ａの向きが所定の角度移動した時に前記側板に夫々形成された突出部３０Ａが、同じタイミングで前記直下の商品包装容器１０Ａの側板の上端と当接するように構成される。
【００２１】
尚、上側の商品包装容器１０Ａを所定の角度まで回転させた時に各突出部３０Ａが直下の商品包装容器１０Ａに当接して直下の商品包装容器１０Ａを回転させるための寸法設定は、図８に示すように、回転角θ、底板２１Ａの中心線から周囲の長辺までの距離Ａ１、底板２１Ａの中心線から周囲の短辺までの距離Ａ２、周囲の辺の長辺の中心線位置から突出部３０Ａの突出開始位置までの距離をＬ１、周囲の辺の短辺の中心線位置から突出部３０Ａの突出開始位置までの距離をＬ２、とした場合、Ｌ１＝Ａ１ｔａｎ（θ／２）、Ｌ２＝Ａ２ｔａｎ（θ／２）で計算可能である。前記式では突出部３０Ａの厚みが０とみなした場合の計算式であるが、突起部３０Ａの基部と底板２１Ａ間に開口部を形成した場合、付け根に、実際の回転によって上側の商品包装容器１０Ａの突出部３０Ａが直下の商品包装容器１０Ａに当接した際には、前記突起部３０Ａに撓みが生じ易くなるため、商品包装容器１０Ａの厚みが０．５ｍｍ程度のプラスチックシートや厚紙の場合は、上記計算式で計算して差し支えない。この式によって、周囲の辺の長辺の中心線位置から突出部３０Ａの突出開始位置までの距離をＬ１、周囲の辺の短辺の中心線位置から突出部３０Ａの突出開始位置までの距離Ｌ２を計算すると、例えば底板２１Ａの中心点から周囲の長辺までの距離Ａ１が２５ｍｍ、底板２１Ａの中心点から周囲の短辺までの距離Ａ２が４０ｍｍ、回転角θが３０°の場合、周囲の辺の長辺の中心線位置から突出部３０Ａの突出開始位置までの距離Ｌ１は約６．７ｍｍ、周囲の辺の短辺の中心線位置から突出部３０Ａの突出開始位置までの距離Ｌ２は約１０．７ｍｍとなる。
【００２２】
尚、商品包装容器３０Ａの厚みが０．５ｍｍを超えてきた場合や、プラスチック成形品、金属缶など合成が高い素材で形成される場合は、計算式に厚み分の補正を加える必要があり、図９に示すように、突出部３０Ａの厚みＴ、周囲の辺の長辺において、突出部３０Ａの厚みを考慮しない場合の位置から、突出部３０Ａの厚みを考慮した時の回転後に突出部３０Ａが当接する位置までの追加距離をＳ１、周囲の辺の短辺において、突出部３０Ａの厚みを考慮しない場合の位置から、突出部３０Ａの厚みを考慮した時の回転後に突出部３０Ａが当接する位置までの追加距離をＳ２とした場合、Ｓ１＝Ｓ２＝Ｔ／ｔａｎθで計算可能である。この式によって追加距離Ｓ１、Ｓ２を計算すると、突出部３０Ａの厚みＴが１ｍｍ、回転角θが３０°の場合、追加距離Ｓ１、Ｓ２は夫々１．７ｍｍとなる。
【００２３】
従って、突出部３０Ａの厚みを加味した、寸法設定を計算する場合、図９に示すように、回転角θ、周囲の辺の長辺の中心線位置から突出部３０Ａの突出開始位置までの距離Ｌ１＋Ｓ１をＬＳ１、周囲の辺の短辺の中心線位置から突出部３０Ａの突出開始位置までの距離をＬ２＋Ｓ２をＬＳ２、とした場合、ＬＳ１＝Ａ１ｔａｎ（θ／２）＋Ｔ／ｔａｎθ、ＬＳ２＝Ａ２ｔａｎ（θ／２）＋Ｔ／ｔａｎθで計算可能である。この式によって突出部３０Ａの厚みを加味した、周囲の辺の長辺の中心線位置から突出部３０Ａの突出開始位置までの距離をＬＳ１、周囲の辺の短辺の中心線位置から突出部３０Ａの突出開始位置までの距離ＬＳ２を計算すると、例えば底板２１Ａの中心線から周囲の長辺までの距離Ａ１が２５ｍｍ、底板の中心線から周囲の短辺までの距離Ａ２が４０ｍｍ、突出部３０Ａの厚みＴが１ｍｍ、回転角θが３０°の場合、突出部３０Ａの厚みを加味した周囲の辺の長辺の中心線位置から突出部３０Ａの突出開始位置までの距離ＬＳ１は約８．４ｍｍ、突出部の厚みを加味した周囲の辺の短辺の中心線位置から突出部の突出開始位置までの距離ＬＳ２は約１２．４ｍｍとなる。
【００２４】
尚、前記突出部３０Ａの突出開始位置からの距離や底板から下方に突出する距離は、商品重量や、商品包装容器の強度に基づいて適切な範囲を選択することができるが、一般的には、突出部３０Ａの突出開始位置からの距離は３ｍｍ以上、底板から下方に突出する距離は１ｍｍ〜１０ｍｍの範囲で形成することが望ましい。
【実施例３】
【００２５】
以下、図面を参照して本発明の第３実施例を説明する。
【００２６】
本発明の第３実施例における商品包装容器１０Ｂは、図１０に示すように、内部に商品の収納空間が形成される商品包装容器１０Ｂが、対向する天板２０Ｂおよび底板２１Ｂが正五角形の平面で形成され、前記天板２０Ｂと底板２１Ｂの間において、５つの位置の平面から構成される側板２６と、を有する。
【００２７】
そして、前記夫々の位置の側板２６には前記底板２１Ｂよりも下方に延在する突出部３０Ｂが形成され、前記商品包装容器１０Ｂを複数段積み重ねた状態で、上側に配置された商品包装容器１０Ｂを水平面に対して左右何れか一方の方向に回転させた際に、上側の商品包装容器１０Ｂに対して直下の商品包装容器１０Ｂの向きが所定の角度移動した時に前記側板２６に夫々形成された突出部３０Ｂが、同じタイミングで前記直下の商品包装容器１０Ｂの側板２６の上端と当接するように構成される。
【００２８】
本実施例においても、実施例１と同様に、上側の商品包装容器１０Ｂを所定の角度まで回転させた時に各突出部３０Ｂが直下の商品包装容器１０Ｂに当接して直下の商品包装容器１０Ｂを回転させるための寸法設定は、図１１に示すように、回転角θ、底板２１Ｂの外接円の半径Ａ、正多角形の辺の数ｎ、周囲の辺の中心線位置から突出部３０Ｂの突出開始位置までの距離をＬとした場合、Ｌ＝Ａｃｏｓ（π／ｎ）ｔａｎ（θ／２）で計算可能である。前記式では突出部３０Ｂの厚みが０とみなした場合の計算式であるが、突起部３０Ｂの基部と底板３０Ｂ間に開口部を形成した場合は、付け根に、実際の回転によって上側の商品包装容器１０Ｂの突出部３０Ｂが直下の商品包装容器１０Ｂに当接した際には、前記突起部３０Ｂに撓みが生じ易くなるため、商品包装容器１０Ｂの厚みが０．５ｍｍ程度のプラスチックシートや厚紙の場合は、上記計算式で計算して差し支えない。この式によって各辺の中心線位置から突出部３０Ｂの突出開始位置までの距離Ｌを計算すると、例えば底板２１Ｂの外接円の半径Ａが２５ｍｍ、回転角θが３０°の場合、周囲の辺の中心線位置から突出部３０Ｂの突出開始位置までの距離Ｌは約５．４ｍｍとなる。
【００２９】
尚、商品包装容器１０Ｂの厚みが０．５ｍｍを超えてきた場合や、プラスチック成形品、金属缶など合成が高い素材で形成される場合は、計算式に厚み分の補正を加える必要があり、図１２に示すように、突出部の厚みＴ、突出部３０Ｂの厚みを考慮しない場合の位置から、突出部３０Ｂの厚みを考慮した時の回転後に突出部３０Ｂが当接する位置までの追加距離をＳとした場合、Ｓ＝Ｔ／ｔａｎθで計算可能である。この式によって追加距離Ｓを計算すると、突出部の厚みＴが１ｍｍ、回転角θが３０°の場合、追加距離Ｓは１．７ｍｍとなる。
【００３０】
従って、突出部３０Ｂの厚みを加味した、寸法設定を計算する場合、回転角θ、底板２１Ｂの外接円の半径Ａ、周囲の辺の中央位置から突出部の突出開始位置までの距離Ｌ＋Ｓ＝ＬＳとした場合、ＬＳ＝Ａｃｏｓ（π／ｎ）ｔａｎ（θ／２）＋Ｔ／ｔａｎθで計算可能である。この式によって突出部３０Ｂの厚みを加味した、各辺の中心線位置から突出部の突出開始位置までの距離ＬＳを計算すると、例えば底板の中心点から周囲の辺までの距離Ａが２５ｍｍ、突出部の厚みＴが１ｍｍ、回転角θが３０°の場合のＬＳ寸法は約７．１ｍｍとなる。尚、上記各実施例の計算式は、天板と底板の回転中心が点で存在する形状であれば、他の多角形にも適用することができる。
【符号の説明】
【００３１】
１０、１０Ａ、１０Ｂ：商品包装容器、２０、２０Ａ、２０Ｂ：天板、２１、２１Ａ、２１Ｂ：底板、２２、２２Ａ：正面、２３、２３Ａ：背面、２４、２４Ａ：右側面、２５、２５Ａ：左側面、２６：側面、３０、３０Ａ、３０Ｂ：突出部、４０：底板、４１：天板、４２：隅板、４３：凸部、４４：凹部、４５：長側板、４６：短側板、５０：包装箱
【図１】
2020203720.tif 000003
【図２】
2020203720.tif 000004
【図３】
2020203720.tif 000005
【図４】
2020203720.tif 000006
【図５】
2020203720.tif 000007
【図６】
2020203720.tif 000008
【図７】
2020203720.tif 000009
【図８】
2020203720.tif 000010
【図９】
2020203720.tif 000011
【図１０】
2020203720.tif 000012
【図１１】
2020203720.tif 000013
【図１２】
2020203720.tif 000014
【図１３】
2020203720.tif 000015
【図１４】
2020203720.tif 000016